(57)【特許請求の範囲】
【請求項１】
個人番号カード交付申請書に印画されている二次元コードを読み取って前記個人番号カード交付申請書の申請書ＩＤを取得する取得部と、
利用者を撮影して撮影画像データを生成する撮影装置と、
前記撮影画像データを表示し、顔の位置の指示を受け付けるタッチパネルと、
前記タッチパネルを介して受け付けた顔の位置に基づいて、前記撮影画像データから顔画像データを切り抜く画像処理部と、
前記申請書ＩＤ及び前記顔画像データをＩＤカード発行所へ送信し、個人番号カードの交付申請を行う通信処理部と、
前記個人番号カードの交付申請後、前記顔画像データを印画した交付申請確認証を出力するプリンタと、
を備え、
前記タッチパネルは、前記取得部が取得した前記申請書ＩＤを表示するＩＤ確認画面と、一部の文字を拡大して前記申請書ＩＤを表示するＩＤ再確認画面と、を表示し、前記申請書ＩＤは複数桁の数字からなり、前記ＩＤ再確認画面では、前記申請書ＩＤのうち、市区町村を示す上位の桁の数字よりも下位の桁の数字を大きく表示し、
前記プリンタは、前記交付申請確認証に、前記ＩＤカード発行所へ送信した顔画像データに対応する申請用顔画像と、前記個人番号カードに印画された状態を想定した券面写真イメージ画像とを印画することを特徴とするＩＤカード交付申請装置。
【請求項２】
個人番号カード交付申請書に印画されている二次元コードを読み取って前記個人番号カード交付申請書の申請書ＩＤを取得する取得部と、
利用者を撮影して撮影画像データを生成する撮影装置と、
前記撮影画像データを表示し、顔の位置の指示を受け付けるタッチパネルと、
前記タッチパネルを介して受け付けた顔の位置に基づいて、前記撮影画像データから顔画像データを切り抜く画像処理部と、
前記申請書ＩＤ及び前記顔画像データをＩＤカード発行所へ送信し、個人番号カードの交付申請を行う通信処理部と、
を備え、
前記タッチパネルは、前記取得部が取得した前記申請書ＩＤを表示するＩＤ確認画面と、一部の文字を拡大して前記申請書ＩＤを表示するＩＤ再確認画面と、を表示し、前記申請書ＩＤは複数桁の数字からなり、前記ＩＤ再確認画面では、前記申請書ＩＤのうち、市区町村を示す上位の桁の数字よりも下位の桁の数字を大きく表示することを特徴とするＩＤカード交付申請装置。
【請求項３】
個人番号カード交付申請書に印画されている二次元コードを読み取って前記個人番号カード交付申請書の申請書ＩＤを取得する取得部と、
利用者を撮影して撮影画像データを生成する撮影装置と、
前記撮影画像データを表示し、顔の位置の指示を受け付けるタッチパネルと、
前記タッチパネルを介して受け付けた顔の位置に基づいて、前記撮影画像データから顔画像データを切り抜く画像処理部と、
前記申請書ＩＤ及び前記顔画像データをＩＤカード発行所へ送信し、個人番号カードの交付申請を行う通信処理部と、
前記個人番号カードの交付申請後、前記顔画像データを印画した交付申請確認証を出力するプリンタと、
を備え、
前記プリンタは、前記交付申請確認証に、前記ＩＤカード発行所へ送信した顔画像データに対応する申請用顔画像と、前記個人番号カードに印画された状態を想定した券面写真イメージ画像とを印画することを特徴とするＩＤカード交付申請装置。
【請求項４】
前記タッチパネルは、前記画像処理部が前記撮影画像データから切り抜いた前記顔画像データを表示し、顔画像の位置及びサイズの調整指示を受け付けることを特徴とする請求項１乃至３のいずれかに記載のＩＤカード交付申請装置。
【請求項５】
前記撮影装置は前記利用者を複数回撮影し、
前記タッチパネルは、複数の撮影画像データを表示して、撮影画像データの選択を受け付け、
前記画像処理部は、選択された撮影画像データから顔画像データを切り抜くことを特徴とする請求項１乃至４のいずれかに記載のＩＤカード交付申請装置。
【請求項６】
前記個人番号カードの交付申請が正常に完了しなかった場合、前記プリンタから、前記顔画像データを印画した印画紙を出力することを特徴とする請求項１又は３に記載のＩＤカード交付申請装置。
【請求項７】
個人番号カードの交付申請を行う第１モード、利用者を撮影した撮影画像データを印画紙に印画して出力する第２モード、及び前記撮影画像データを携帯端末へ転送する第３モードが選択可能であり、
前記第１モードが選択された場合、前記申請書ＩＤを取得し、前記申請書ＩＤ及び前記顔画像データを前記ＩＤカード発行所へ送信して個人番号カードの交付申請を行うことを特徴とする請求項１乃至６のいずれかに記載のＩＤカード交付申請装置。
【請求項８】
個人番号カード交付申請書に印画されている二次元コードを読み取って前記個人番号カード交付申請書の申請書ＩＤを取得する工程と、
利用者を撮影し、撮影画像データを生成する工程と、
前記撮影画像データをタッチパネルに表示して、顔の位置の指示を受け付ける工程と、
受け付けた顔の位置の指示に基づいて、前記撮影画像データから顔画像データを切り抜く工程と、
前記申請書ＩＤ及び前記顔画像データをＩＤカード発行所へ送信し、個人番号カードの交付申請を行う工程と、
前記個人番号カードの交付申請後、前記顔画像データを印画した交付申請確認証をプリンタから出力する工程と、
を備え、
前記タッチパネルは、取得した前記申請書ＩＤを表示するＩＤ確認画面と、一部の文字を拡大して前記申請書ＩＤを表示するＩＤ再確認画面と、を表示し、前記申請書ＩＤは複数桁の数字からなり、前記ＩＤ再確認画面では、前記申請書ＩＤのうち、市区町村を示す上位の桁の数字よりも下位の桁の数字を大きく表示し、
前記プリンタは、前記交付申請確認証に、前記ＩＤカード発行所へ送信した顔画像データに対応する申請用顔画像と、前記個人番号カードに印画された状態を想定した券面写真イメージ画像とを印画することを特徴とするＩＤカード交付申請方法。
【発明の詳細な説明】
【技術分野】
【０００１】
本発明は、利用者の顔画像を撮影し、マイナンバー（個人番号）が記載された個人番号カードの交付申請を行うことが可能なＩＤカード交付申請装置及びＩＤカード交付申請方法に関する。
【背景技術】
【０００２】
社会保障、税、災害対策等の分野で効率的に情報を管理し、複数の機関が保有する個人の情報が同一人の情報であることを確認するために、住民票を有する全ての者に対して、各人固有の１２桁の番号（マイナンバー）を割り当てるマイナンバー制度が導入されている。マイナンバーを通知された者は、申請により、顔写真付きの個人番号カードの交付を受けることができる。この個人番号カードは、本人確認のための身分証明書として利用できるほか、カードのＩＣチップに搭載された電子証明書を用いて各種電子申請を行ったり、図書館利用証や印鑑登録証など各自治体が条例で定めるサービスに使用したりすることができる。
【０００３】
個人番号カードの交付申請を郵送で行う場合、交付申請書に本人の顔写真を貼付する。スマートフォンやパソコンで交付申請を行う場合は、スマートフォンやデジタルカメラで顔写真を撮影し、申請者専用ウェブサイトに顔写真を登録する。上述したように、個人番号カードは身分証明書として利用可能なものであるため、顔写真は、所定の寸法や規格を満たすことが求められる。
【０００４】
従来、ボックス型の証明写真撮影装置が市中に設置され、履歴書貼付用やパスポート申請用といった所定サイズの顔写真プリントが簡便に得られるようになっている。このような証明写真撮影装置で個人番号カード用の顔写真を撮影すると共に、交付申請も行えるようにするサービスの提供が望まれている。
【先行技術文献】
【特許文献】
【０００５】
【特許文献１】特開２００４−１５３３９３号公報
【発明の概要】
【発明が解決しようとする課題】
【０００６】
本発明は、上記従来の実状に鑑みてなされたものであり、利用者の顔画像を撮影し、撮影した顔画像と共にＩＤカード（個人番号カード）の交付申請を行うことができるＩＤカード交付申請装置及びＩＤカード交付申請方法を提供することを課題とする。
【課題を解決するための手段】
【０００７】
本発明によるＩＤカード交付申請装置は、ＩＤカード交付申請書に印画されている二次元コードを読み取って前記ＩＤカード交付申請書の申請書ＩＤを取得する取得部と、利用者を撮影して撮影画像データを生成する撮影装置と、前記撮影画像データを表示し、顔の位置の指示を受け付けるタッチパネルと、前記タッチパネルを介して受け付けた顔の位置に基づいて、前記撮影画像データから顔画像データを切り抜く画像処理部と、前記申請書ＩＤ及び前記顔画像データをＩＤカード発行所へ送信し、ＩＤカードの交付申請を行う通信処理部と、を備えるものである。
【０００８】
本発明の一態様によるＩＤカード交付申請装置において、前記タッチパネルは、前記取得部が取得した前記申請書ＩＤを表示するＩＤ確認画面と、一部の文字を拡大して前記申請書ＩＤを表示するＩＤ再確認画面と、を表示する。
【０００９】
本発明の一態様によるＩＤカード交付申請装置において、前記タッチパネルは、前記画像処理部が前記撮影画像データから切り抜いた前記顔画像データを表示し、顔画像の位置及びサイズの調整指示を受け付ける。
【００１０】
本発明の一態様によるＩＤカード交付申請装置において、前記撮影装置は前記利用者を複数回撮影し、前記タッチパネルは、複数の撮影画像データを表示して、撮影画像データの選択を受け付け、前記画像処理部は、選択された撮影画像データから顔画像データを切り抜く。
【００１１】
本発明の一態様によるＩＤカード交付申請装置は、前記ＩＤカードの交付申請後、前記顔画像データを印画した交付申請確認証を出力するプリンタをさらに備えるものである。
【００１２】
本発明の一態様によるＩＤカード交付申請装置は、前記ＩＤカードの交付申請が正常に完了しなかった場合、前記プリンタから、前記顔画像データを印画した印画紙を出力する。
【００１３】
本発明の一態様によるＩＤカード交付申請装置は、ＩＤカードの交付申請を行う第１モード、利用者を撮影した撮影画像データを印画紙に印画して出力する第２モード、及び前記撮影画像データを携帯端末へ転送する第３モードが選択可能であり、前記第１モードが選択された場合、前記申請書ＩＤを取得し、前記申請書ＩＤ及び前記顔画像データを前記ＩＤカード発行所へ送信してＩＤカードの交付申請を行う。
【００１４】
本発明によるＩＤカード交付申請方法は、ＩＤカード交付申請書に印画されている二次元コードを読み取って前記ＩＤカード交付申請書の申請書ＩＤを取得する工程と、利用者を撮影し、撮影画像データを生成する工程と、前記撮影画像データをタッチパネルに表示して、顔の位置の指示を受け付ける工程と、受け付けた顔の位置の指示に基づいて、前記撮影画像データから顔画像データを切り抜く工程と、前記申請書ＩＤ及び前記顔画像データをＩＤカード発行所へ送信し、ＩＤカードの交付申請を行う工程と、を備えるものである。
【発明の効果】
【００１５】
本発明によれば、所定の寸法や規格を満たす顔写真を用いたＩＤカード（個人番号カード）の交付申請を容易に行うことができる。
【図面の簡単な説明】
【００１６】
【図１】本発明の実施形態に係る個人番号カードの作成フローを示す図である。
【図２】同実施形態に係るＩＤカード交付申請装置の概略構成図である。
【図３】演算制御装置の概略構成図である。
【図４】個人番号カード交付申請プログラムの実行により実現される機能ブロック図である。
【図５】同実施形態に係るＩＤカード交付申請方法を説明するフローチャートである。
【図６】（ａ）（ｂ）はモード選択画面の例を示す図である。
【図７】（ａ）（ｂ）は申請書ＩＤ確認画面の例を示す図である。
【図８】（ａ）（ｂ）は顔画像選択画面の例を示す図である。
【図９】（ａ）（ｂ）は顔位置指示画面の例を示す図である。
【図１０】（ａ）は申請内容確認画面の例を示す図であり、（ｂ）は申請内容変更画面の例を示す図である。
【図１１】ＩＤカード交付申請装置からプリント出力される交付申請確認証の例を示す図である。
【図１２】（ａ）は顔画像の再確認画面の例を示す図であり、（ｂ）は顔画像微調整画面の例を示す図である。
【発明を実施するための形態】
【００１７】
以下、本発明の実施の形態を図面に基づいて説明する。
【００１８】
図１は、本発明の実施形態に係る個人番号カードの作成フローの説明図である。あらかじめ市区町村より、利用者Ｐに対して、１２桁のマイナンバー（個人番号）が記載された通知カードと共に個人番号カード交付申請書２（以下、「申請書２」と記載する）が送付されている。申請書２には、各利用者に固有の申請書ＩＤが記載され、さらに、申請書ＩＤの情報を含む二次元コード２ａが印画されている。
【００１９】
利用者Ｐは、顔写真付きの個人番号カードの交付申請を行う場合、ＩＤカード交付申請装置１にて顔画像を撮影する。ＩＤカード交付申請装置１は、利用者Ｐが持参した申請書２の二次元コード２ａを読み取って申請書ＩＤを取得し、撮影した利用者Ｐの顔画像データと共に申請書ＩＤをＩＤカード発行所３へ送信し、個人番号カードの交付申請を行う。
【００２０】
ＩＤカード発行所３は、申請書ＩＤと利用者Ｐの個人情報とを紐付けるデータベースを備えており、ＩＤカード交付申請装置１から交付申請を受け付けると、利用者Ｐの個人情報と、受信した利用者Ｐの顔画像とをカード基材に印画し、個人番号カード４を作成する。
【００２１】
利用者Ｐは、作成された個人番号カード４を、市区町村窓口等の交付所５にて受け取ることができる。
【００２２】
図１、２に示すように、ＩＤカード交付申請装置１は、利用者Ｐの撮影を行う撮影空間を有するボックス型の証明写真撮影装置であり、利用者Ｐを撮影して撮影画像データを生成する撮影装置１１と、この撮影画像データに対して画像処理を施す演算制御装置１０と、利用者Ｐから各種指示を受け付けると共に、プレビュー画像や各種情報を表示するタッチパネル（指示受付部及び表示部）１２と、利用者Ｐが持参した申請書の二次元コード２ａを読み取る読取部１３と、音声案内等を出力するスピーカ１４と、撮影装置１１が利用者Ｐを撮影する際に光を照射するストロボ１５と、を備える。
【００２３】
このＩＤカード交付申請装置１には、後述する交付申請確認証５０（図１１）をプリントして出力するプリンタ１６が設けられている。プリンタ１６のプリント方式は特に限定されず、インクジェット方式、昇華型熱転写方式、溶融型熱転写方式等を用いることができる。
【００２４】
また、ＩＤカード交付申請装置１は、ＩＤカード発行所３へ申請書ＩＤや顔画像データを有線／無線で送信する通信装置１７を備えている。
【００２５】
撮影装置１１は、例えばデジタルカメラであり、レンズ、シャッタ、ＣＭＯＳセンサ、Ａ／Ｄ変換器等を有する。撮影装置１１が利用者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１１は、撮影画像データを演算制御装置１０へ出力する。
【００２６】
タッチパネル１２は、操作ボタンを表示し、操作ボタンが押されると、その操作ボタンに対応した操作指示を受け付ける。例えば、タッチパネル１２は、利用者Ｐから、サービスの選択指示を受け付ける。このＩＤカード交付申請装置１は、個人番号カードの交付申請だけでなく、パスポートの申請書や試験の受験票に貼付するための顔画像出力等の機能を有する。顔画像の出力形式は、印画紙出力、又はスマートフォン等へのデジタルデータの転送である。
【００２７】
タッチパネル１２は、利用者Ｐを撮影した複数の顔画像を表示し、交付申請に用いる顔画像の選択指示を受け付けることができる。また、タッチパネル１２は、撮影した画像を表示し、利用者Ｐから顔の位置の指示を受け付けることができる。
【００２８】
ＩＤカード交付申請装置１には、利用者が支払う貨幣を受け入れたり、釣銭を払い出したりする課金部（図示せず）がさらに設けられている。また、ＩＤカード交付申請装置１に、電子マネーでの支払いを受け付ける課金部が設けられていてもよい。
【００２９】
演算制御装置１０は、ＩＤカード交付申請装置１の各部の制御やデータの受け渡しを行う。図３に、演算制御装置１０のハードウェア構成を示す。演算制御装置１０は、ＣＰＵ（中央演算処理部）１００、メインメモリ１０２、ディスク装置１０４、及び入出力部１０６を有する。演算制御装置１０の各部はバスを介して接続されている。
【００３０】
ディスク装置１０４は、例えばハードディスクドライブであり、ＣＰＵ１００により実行される個人番号カード交付申請プログラム１１０を格納する。
【００３１】
ＣＰＵ１００は、ディスク装置１０４内の個人番号カード交付申請プログラム１１０をメインメモリ１０２にロードして、個人番号カード交付申請プログラム１１０を実行する。
【００３２】
図５に、ＣＰＵ１００が個人番号カード交付申請プログラム１１０を実行することで実現される機能ブロック図を示す。個人番号カード交付申請プログラム１１０の実行により、モード選択部１１１、申請書ＩＤ取得部１１２、画像処理部１１３、申請処理部１１４、通信処理部１１５、及びプリント処理部１１６が実現される。
【００３３】
モード選択部１１１は、ＩＤカード交付申請装置１が提供する複数のサービス（モード）をタッチパネル１２に表示し、利用者Ｐからモードの選択を受け付ける。
【００３４】
申請書ＩＤ取得部１１２は、読取部１３を介して、利用者Ｐから提示された申請書２の二次元コード２ａを読み取り、申請書ＩＤを取得する。
【００３５】
画像処理部１１３は、撮影装置１１により生成された撮影画像データから、個人番号カードの申請に適したサイズとなるように顔画像データの切り抜きを行う。また、画像処理部１１３は、被撮影者（利用者Ｐ）の顔の傾き、目瞑り、口の開き、衣類や頭髪で顔が隠れていないか等を検出し、必要に応じて撮り直しを行い、証明写真に適した顔画像を生成してもよい。
【００３６】
申請処理部１１４は、個人番号カードの交付申請にあたり、申請内容を設定する。例えば、発行する個人番号カードに電子証明書や点字を希望するか否かを設定する。
【００３７】
通信処理部１１５は、通信装置１７を介して、申請書ＩＤ、申請内容、及び顔画像データをＩＤ発行所３へ送信し、個人番号カードの交付申請を行う。
【００３８】
プリント処理部１１６は、個人番号カードの交付申請手続きの完了後、プリンタ１６から、申請に用いた顔画像を印画した交付申請確認証５０を出力する。
【００３９】
図５は、利用者ＰがＩＤカード交付申請装置１を用いて、個人番号カードの交付申請を行う方法を説明するフローチャートである。
【００４０】
利用者Ｐが、ＩＤカード交付申請装置１の筐体内に進入すると、モード選択部１１１はタッチパネル１２にモード選択画面を表示する（ステップＳ１０１）。例えば、タッチパネル１２に、図６（ａ）に示すようなサービス選択画面２００が表示される。サービス選択画面２００は、パスポートの申請書や試験の受験票等に貼付するための顔写真を印画紙に出力するモードの開始ボタン２０１、この顔写真をデジタルデータ形式でスマートフォン等の携帯端末に転送するモードの開始ボタン２０２、及び個人番号カード交付申請の開始ボタン２０３を含む。図５のフローでは、開始ボタン２０３を押した場合について説明する。
【００４１】
開始ボタン２０３が押されると、タッチパネル１２に、図６（ｂ）に示すような申請方法選択画面２１０が表示される。申請方法選択画面２１０は、ＩＤカード交付申請装置１での申請を選択する選択ボタン２１１、郵送での申請を選択する選択ボタン２１２、スマートフォンでの申請を選択する選択ボタン２１３を含む。図５のフローでは、選択ボタン２１１を押した場合について説明する。
【００４２】
なお、郵送での申請を選択する選択ボタン２１２が押された場合は、郵送用の申請書に貼付するための顔写真を印画紙に出力するモードが開始される。また、スマートフォンでの申請を選択する選択ボタン２１３が押された場合は、スマートフォンでの申請に適した顔画像データをスマートフォンに転送するモードが開始される。
【００４３】
ＩＤカード交付申請装置１での申請を選択する選択ボタン２１１が押されると、申請書ＩＤ取得部１１２は、読取部１３を用いて申請書２の二次元コード２ａを読み取って申請書ＩＤを取得する（ステップＳ１０２）。申請書ＩＤ取得部１１２は、タッチパネル１２に、図７（ａ）に示すようなＩＤ確認画面２２０を表示する。ＩＤ確認画面２２０は、ＩＤ表示領域２２１、申請書ＩＤが申請書２のどこに記載されているかを説明する説明領域２２２、確認ボタン２２３等を含む。
【００４４】
確認ボタン２２３が押された後、申請書ＩＤ取得部１１２は、さらにタッチパネル１２に、図７（ｂ）に示すようなＩＤ再確認画面２３０を表示してもよい。ＩＤ再確認画面２３０は、ＩＤ表示領域２３１、説明領域２３２、確認ボタン２３３等を含む。
【００４５】
ＩＤ再確認画面２３０のＩＤ表示領域２３１では、申請書ＩＤの一部を拡大表示してもよい。例えば、申請書ＩＤは２３桁の数字からなり、上位複数桁の数字は市区町村を示す。下位の桁の数字の方が、上位の桁の数字よりも個人の識別力が高いため、下位複数桁を拡大表示する。図７（ｂ）は、下位７桁の数字をそれより上位の１６桁の数字よりも大きく表示する例を示している。
【００４６】
タッチパネル１２に課金画面が表示され、課金部が利用者Ｐからの入金を受け付けて課金処理を行う（ステップＳ１０３）。
【００４７】
撮影装置１１が利用者Ｐを撮影する（ステップＳ１０４）。撮影は１回でもよいし、複数回行ってもよい。本実施形態では撮影を２回行う例について説明する。
【００４８】
画像処理部１１３が、タッチパネル１２に図８（ａ）に示すような顔画像確認画面２４０を表示し、撮影した顔画像を利用者Ｐが確認できるようにする（ステップＳ１０５）。顔画像確認画面２４０は、小プレビュー領域２４１、２４２、大プレビュー領域２４３、決定ボタン２４４、撮り直しボタン２４５等を含む。
【００４９】
小プレビュー領域２４１、２４２には、ステップＳ１０４で撮影した撮影画像データがプレビュー表示される。ステップＳ１０４では２回の撮影を行っているため、２つの小プレビュー領域２４１、２４２が設けられる。利用者Ｐが小プレビュー領域２４１又は２４２を選択すると、選択された画像が大プレビュー領域２４３に大きく表示される。
【００５０】
利用者Ｐは、撮り直しを希望する場合、撮り直しボタン２４５を押す（ステップＳ１０６＿Ｙｅｓ）。これにより、利用者Ｐの再撮影が行われ、タッチパネル１２には、図８（ｂ）に示すような顔画像確認画面２４０が表示される。この顔画像確認画面２４０は、初回撮影の画像を表示する小プレビュー領域２４１、２４２と、再撮影の画像を表示する小プレビュー領域２４６、２４７を含む。
【００５１】
利用者Ｐは、大プレビュー領域２４３に表示されている画像を申請に使用する画像とする場合（ステップＳ１０６＿Ｎｏ）、決定ボタン２４４を押す（ステップＳ１０７）。
【００５２】
続いて、画像処理部１１３が、申請に適したサイズとなるように顔画像データの切り抜き処理を行う。画像処理部１１３は、顔画像データの切り抜きにあたり、利用者Ｐから、撮影画像における顔位置の指示を受け付ける（ステップＳ１０８）。
【００５３】
例えば、画像処理部１１３は、タッチパネル１２に、図９（ａ）に示すような上下位置指示画面２５０を表示する。上下位置指示画面２５０は、顔画像表示領域２５１、頭頂ライン２５２、顎ライン２５３、頭頂ライン上昇ボタン２５４、頭頂ライン下降ボタン２５５、顎ライン上昇ボタン２５６、顎ライン下降ボタン２５７、決定ボタン２５８等を含む。
【００５４】
利用者Ｐは、頭頂ライン上昇ボタン２５４及び頭頂ライン下降ボタン２５５を押して、頭頂ライン２５２を上下させ、顔画像表示領域２５１に表示されている自身の顔画像の頭頂に頭頂ライン２５２を合わせる。また、利用者Ｐは、顎ライン上昇ボタン２５６及び顎ライン下降ボタン２５７を押して、顎ライン２５３を上下させ、顔画像表示領域２５１に表示されている自身の顔画像の顎の先端に顎ライン２５３を合わせる。これにより、顔の上下位置が指定される。
【００５５】
決定ボタン２５８が押されると、画像処理部１１３は、タッチパネル１２に、図９（ｂ）に示すような中心位置指示画面２６０を表示する。中心位置指示画面２６０は、顔画像表示領域２６１、中心ライン２６２、左移動ボタン２６３、右移動ボタン２６４、決定ボタン２６５等を含む。
【００５６】
利用者Ｐは、左移動ボタン２６３及び右移動ボタン２６４を押して、中心ライン２６２を左右に移動させ、顔画像表示領域２６１に表示されている自身の顔画像の中心に中心ライン２６２を合わせる。これにより、顔の中心位置が指定される。
【００５７】
画像処理部１１３は、このようにして利用者Ｐから指定された顔位置に基づいて、顔画像データの切り抜き処理を行う。
【００５８】
次に、申請処理部１１４が、タッチパネル１２に、図１０（ａ）に示すような申請内容確認画面２７０を表示する（ステップＳ１０９）。申請内容確認画面２７０は、申請内容表示領域２７１、変更ボタン２７２、申請ボタン２７３等を含む。
【００５９】
申請内容表示領域２７１は、例えば、申請日、申請書ＩＤ、撮影した利用者Ｐの顔画像、個人番号カードへの点字表記希望の有無、個人番号カードに搭載する電子証明書の発行希望の有無等が表示される。点字表記は「希望しない」、電子証明書の発行は「希望する」がデフォルト設定されている。
【００６０】
変更ボタン２７２を押すことで、タッチパネル１２に、図１０（ｂ）に示すような申請内容変更画面２８０が表示される（ステップＳ１１０＿Ｙｅｓ）。チェックボックス２８１〜２８６を押すことで、点字表記、電子証明書の発行の希望の有無を変更することができる（ステップＳ１１１）。
【００６１】
利用者Ｐが、申請内容を確認し、申請内容確認画面２７０の申請ボタン２７３を押すと（ステップＳ１１０＿Ｎｏ）、通信処理部１１５が、通信装置１７を介して、申請書ＩＤ、申請内容、及び顔画像データをＩＤ発行所３へ送信し、個人番号カードの交付申請を行う（ステップＳ１１２）。
【００６２】
交付申請が正常に完了した場合（ステップＳ１１３＿Ｙｅｓ）、プリント処理部１１６は、プリンタ１６から、図１１に示すような、申請に用いた顔画像を印画した交付申請確認証５０を出力する。交付申請確認証５０には、申請用顔画像５１、券面写真イメージ画像５２、受付番号５３等が印画されている。
【００６３】
申請用顔画像５１は、ＩＤ発行所３へ送信したデータに対応する画像である。券面写真イメージ画像５２は、個人番号カードに印画された状態を想定した顔画像である。ＩＤ発行所３における顔画像データのトリミング処理を考慮して、ＩＤ発行所３へ送信される顔画像データは背景部分を大きくしている。そのため、交付申請確認証５０の申請用顔画像５１は、券面写真イメージ画像５２よりも背景部分が大きく、言い換えれば顔部分が相対的に小さく表示される。
【００６４】
受付番号５３は、申請書ＩＤの一部の数字、例えば下３桁の数字を含むようにしてもよい。利用者Ｐは、交付申請確認証５０の受付番号５３に含まれる申請書ＩＤの一部の数字と、自身の申請書２に記載されている申請書ＩＤとを比較することで、正しい申請書２を用いて交付申請を行ったか否かいつでも確認することができる。申請書ＩＤの一部の数字は受付番号５３に含めるのでなく、交付申請確認証５０内に別に印字してもよい。
【００６５】
プリンタ１６は、交付申請確認証５０を、領収書５４と共に１枚の印画紙に印画して出力してもよい。
【００６６】
通信エラー等により交付申請が正常に完了しなかった場合（ステップＳ１１３＿Ｎｏ）、タッチパネル１２に、郵送での申請に変更するか否か選択する画面が表示される。郵送での申請に変更することが選択された場合（ステップＳ１１５＿Ｙｅｓ）、プリント処理部１１６が、プリンタ１６から、既に作成されている利用者Ｐの顔画像データを印画した印画物を出力する（ステップＳ１１６）。この印画物では、顔写真が郵送用の申請書に貼付するサイズになっており、利用者Ｐは印画物から顔写真をカットし、郵送用の申請書に貼付すればよい。このように、交付申請が正常に完了しなかった場合、撮影した画像を利用した郵送での申請に変更できる。
【００６７】
郵送での申請に変更しない場合（ステップＳ１１５＿Ｎｏ）、返金処理が行われる（ステップＳ１１７）。
【００６８】
このように、本実施形態によるＩＤカード交付申請装置１によれば、所定の寸法や規格を満たす顔写真の撮影、及び個人番号カードの交付申請を一括して容易に行うことができる。
【００６９】
図５のステップＳ１０８において、利用者Ｐが顔位置を指示し、画像処理部１１３が顔画像データの切り抜き処理を行った後、ステップＳ１０９において申請内容を確認する前に、切り抜かれた顔画像データを再確認するようにしてもよい。
【００７０】
例えば、画像処理部１１３は、タッチパネル１２に、図１２（ａ）に示すような顔画像再確認画面３００を表示する。顔画像再確認画面３００は、顔画像表示領域３０１、微調整指示ボタン３０２、決定ボタン３０３、撮り直しボタン３０４等を含む。
【００７１】
顔画像表示領域３０１は、切り抜き処理後の顔画像と共に、頭頂ライン３０５、顎ライン３０６、及び中心ライン３０７を表示する。頭頂ライン３０５、顎ライン３０６、及び中心ライン３０７は、それぞれ頭頂、顎の先端、顔の中心が位置すべき場所に表示され、利用者Ｐは、表示されている顔画像が、頭頂ライン３０５、顎ライン３０６、及び中心ライン３０７に合っているか否か確認する。合っている場合は決定ボタン３０３を押す。
【００７２】
頭頂、顎の先端、又は顔の中心の位置がずれている場合、利用者Ｐが微調整指示ボタン３０２を押すと、タッチパネル１２に、図１２（ｂ）に示すような顔画像微調整画面３１０が表示される。顔画像微調整画面３１０は、顔画像表示領域３１１、拡大ボタン３１２、縮小ボタン３１３、移動ボタン３１４、決定ボタン３１５等を含む。
【００７３】
利用者Ｐは、拡大ボタン３１２又は縮小ボタン３１３を押して顔画像のサイズを拡縮し、移動ボタン３１４を押して顔画像の位置を上下左右に移動して、顔画像を頭頂ライン３１６、顎ライン３１７、及び中心ライン３１８に合わせる。
【００７４】
顔画像微調整画面３１０での微調整で顔画像を所定位置に合わせられない場合は、顔画像再確認画面３００の撮り直しボタン３０４を押すことで、ステップＳ１０４に戻り、再撮影を行うことができる。
【００７５】
顔画像再確認画面３００に、複数の確認項目を並べて表示し、各項目のチェックボックスに利用者Ｐからのチェックがついたら、決定ボタン３０３が有効になる（活性化する）ようにしてもよい。確認項目は、例えば「目が隠れていないか」「顔が傾いていないか」「眼鏡が反射していないか」等である。
【００７６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７７】
１  ＩＤカード交付申請装置
２  個人番号カード交付申請書
３  ＩＤカード発行所
４  個人番号カード
５  交付所
１０  演算制御装置
１１  撮影装置
１２  タッチパネル
１３  読取部
１４  スピーカ
１５  ストロボ
１６  プリンタ
１７  通信装置
【図１】
0006648480.tif 000002
【図２】
0006648480.tif 000003
【図３】
0006648480.tif 000004
【図４】
0006648480.tif 000005
【図５】
0006648480.tif 000006
【図６】
0006648480.tif 000007
【図７】
0006648480.tif 000008
【図８】
0006648480.tif 000009
【図９】
0006648480.tif 000010
【図１０】
0006648480.tif 000011
【図１１】
0006648480.tif 000012
【図１２】
0006648480.tif 000013